【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
角部を有する金属製の筐体と、
前記筐体の前記角部以外の第１の側面に設けられ、発電された直流電力を入力するＤＣ端子と、
前記筐体に収容され、インバータ部と、前記インバータ部を制御する制御部とを有し、前記インバータ部により前記直流電力を交流電力に変換するインバータ回路と、
前記筐体の第１の側面と隣り合う第２の側面に設けられ、前記インバータ回路から出力される前記交流電力を出力するＡＣ端子と、
前記筐体に収容され、アンテナと、無線回路と、前記アンテナと前記無線回路を形成した基板と、を有し、前記アンテナで受信した外部装置からの第１信号を前記インバータ回路の前記制御部に入力し、前記制御部から出力された第２信号を前記アンテナから前記外部装置に送信して、前記インバータ回路を制御する無線通信モジュールと、
前記筐体の前記第１の側面の外側に突出して設けられ、前記インバータ回路の前記インバータ部から離間して前記無線通信モジュールの前記アンテナを少なくとも収納する突出機構と、を備えるインバータ装置。
【請求項２】
前記突出機構は、前記筐体の前記第１の側面の外側に一部を貫通させて形成された開口と、前記開口を覆うように設けられた非金属材料で形成されるカバーと、を有し、
前記カバーは、前記筐体の外側に突出された前記アンテナを覆うように前記開口を覆う請求項１に記載のインバータ装置。
【請求項３】
前記突出機構は、前記第２の側面に設けられた前記ＡＣ端子に接続されるケーブルと干渉しない位置に設けられている請求項１に記載のインバータ装置。
【請求項４】
前記無線通信モジュールは、前記アンテナのアンテナパターンと、前記無線回路と、を同一基板に形成させて構成され、
前記アンテナパターンが印刷された前記基板の一部が前記突出機構に突出している請求項１に記載のインバータ装置。
【請求項５】
前記筐体の前記第１の側面および前記第２の側面ではない第３の側面および第４の側面に、前記筐体を固定する固定部が設けられる請求項１に記載のインバータ装置。
【請求項６】
角部を有する金属製の筐体と、
前記筐体の前記角部以外の第１の側面に設けられ、発電された直流電力を入力するＤＣ端子と、
前記筐体に収容され、インバータ部と、前記インバータ部を制御する制御部とを有し、前記インバータ部により前記直流電力を交流電力に変換するインバータ回路と、
前記筐体に収容され、アンテナと、無線回路と、前記アンテナと前記無線回路を形成した基板と、を有し、前記アンテナで受信した外部装置からの第１信号を前記インバータ回路の前記制御部に入力し、前記制御部から出力された第２信号を前記アンテナから前記外部装置に送信して、前記インバータ回路を制御する無線通信モジュールと、
前記筐体の前記第１の側面と隣り合う第２の側面に突出して設けられ、前記インバータ回路の前記インバータ部から離間して前記無線通信モジュールの前記アンテナを少なくとも収納する突出機構と、
前記筐体の前記第１の側面又は前記第２の側面に隣り合う第３の側面に設けられ、前記インバータ回路から出力される前記交流電力を出力するＡＣ端子と、を備えるインバータ装置。
【請求項７】
前記突出機構は、前記筐体の前記第２の側面の外側に一部を貫通させて形成された開口と、前記開口を覆うように設けられたカバーと、を有し、
前記カバーは、前記筐体の外側に突出された前記アンテナを覆うように前記開口を覆う請求項６に記載のインバータ装置。
【請求項８】
前記突出機構は、前記第１の側面又は前記第３の側面に設けられた前記ＡＣ端子に接続されるケーブルと干渉しない位置に設けられている請求項６に記載のインバータ装置。
【請求項９】
前記無線通信モジュールは、前記アンテナと、前記無線回路と、を同一基板に形成させて構成され、
アンテナパターンが印刷された前記基板の一部が前記突出機構に突出している請求項６に記載のインバータ装置。
【請求項１０】
前記筐体の前記ＡＣ端子、前記ＤＣ端子、および前記突出機構が設けられていない側面に、前記筐体を固定する固定部が設けられる請求項６に記載のインバータ装置。
【請求項１１】
太陽電池装置であって、
複数の太陽電池素子をフレームによって一体的に支持される太陽電池パネルと、
前記フレームに固定され、複数の前記太陽電池素子で発電された直流電力を交流電力に変換するインバータ装置と、を備え、
前記インバータ装置は、
角部を有する金属製の筐体と、
前記筐体の前記角部以外の第１の側面に設けられ、前記発電された前記直流電力を入力するＤＣ端子と、
前記筐体に収容され、インバータ部と、前記インバータ部を制御する制御部とを有し、前記インバータ部により前記直流電力を交流電力に変換するインバータ回路と、
前記筐体の前記第１の側面と隣り合う第２の側面に設けられ、前記インバータ回路から出力される前記交流電力を出力するＡＣ端子と、
前記筐体に収容され、アンテナと、無線回路と、前記アンテナと前記無線回路を形成した基板と、を有し、前記アンテナで受信した外部装置からの第１信号を前記インバータ回路の前記制御部に入力し、前記制御部から出力された第２信号を前記アンテナから前記外部装置に送信して、前記インバータ回路を制御する前記アンテナを有する無線通信モジュールと、
前記筐体の前記第１の側面の外側に突出して設けられ、前記インバータ回路の前記インバータ部から離間して前記無線通信モジュールの電波を送受信する前記アンテナを少なくとも収納する突出機構と、を具備する太陽電池装置。
【請求項１２】
前記インバータ装置は、前記フレームに対して取り外し可能に固定され、
その固定された状態において、前記インバータ装置と前記太陽電池パネルとの間には、間隙が構成されている請求項１１に記載の太陽電池装置。
【請求項１３】
前記インバータ装置を前記フレームに対して取り外し可能に固定させた状態において、
前記アンテナは、前記フレームと重ならないように配置される請求項１２に記載の太陽電池装置。
【請求項１４】
前記筐体において、前記アンテナを突出させる部分は、前記フレームに隣接した部分以外である請求項１２に記載の太陽電池装置。
【手続補正２】
【補正対象書類名】明細書
【補正対象項目名】０００８
【補正方法】変更
【補正の内容】
【０００８】
実施形態によれば、インバータ装置は、角部を有する金属製の筐体と、ＤＣ端子と、インバータ回路と、ＡＣ端子と、無線通信モジュールと、突出機構と、を備える。ＤＣ端子は、筐体の角部以外の第１の側面に設けられ、発電された直流電力を入力する。インバータ回路は、筐体に収容され、インバータ部と、インバータ部を制御する制御部とを有し、インバータ部により直流電力を交流電力に変換する。ＡＣ端子は、筐体の第１の側面と隣り合う第２の側面に設けられ、インバータ回路から出力される交流電力を出力する。無線通信モジュールは、筐体に収容され、アンテナと、無線回路と、アンテナと無線回路を形成した基板とを有し、アンテナで受信した外部装置からの第１信号をインバータ回路の制御部に入力し、制御部から出力された第２信号をアンテナから外部装置に送信して、インバータ回路を制御する。突出機構は、筐体の第１の側面の外側に突出して設けられ、インバータ回路のインバータ部から離間して無線通信モジュールのアンテナを少なくとも収納する。
【手続補正３】
【補正対象書類名】明細書
【補正対象項目名】００２０
【補正方法】変更
【補正の内容】
【００２０】
筐体６は、２つの面（例えば、平面）１３,１４と、複数の側面（例えば、平坦状側面）１５と、を備えている。２つの平面１３,１４は、互いに対向して配置されている。複数の側面１５は、２つの面１３,１４相互間に構成される空間を囲むように配置されている。ここで、平面１４は、蓋部６ａの外面を指し、平面１３は、収容部６ｂの外面を指す。側面１５は、蓋部６ａの側面と収容部６ｂの側面とを合計した領域に亘る側面を指す。
【手続補正４】
【補正対象書類名】明細書
【補正対象項目名】００２６
【補正方法】変更
【補正の内容】
【００２６】
突出機構９は、開口２１と、カバー２２と、を有している。開口２１は、筐体６（側面１５）の一部を貫通させて形成されている。開口２１が形成された側面（第１の側面）１５は、ＡＣ端子１８が設けられた側面（第２の側面）１５とは異なる。この場合、第１の側面１５と、第２の側面１５とは直交している。開口２１とＤＣ端子１７とは、同一の側面（即ち、第１の側面）に設けられている。開口２１と第２の側面と間の距離は、ＤＣ端子１７と第２の側面と間の距離よりも小さい。